(57)【要約】【課題】簡単な操作で、銀行などでの窓口の順番待ちの手続きをスムーズに分かりやすく行うことができる。【解決手段】利用者がエレベータを利用するときに自室などの遠隔から操作するコール装置１と、コール装置からの操作信号を受け取るエレベータ本体の手動操作部にある本体操作装置２と、エレベータ全体を制御・管理する制御管理装置４とを備え、前記コール装置１と本体操作装置２は無線通信によってデータを送受信するようにした。これにより、コール装置１による遠隔からの操作で事前にエレベータを呼ぶことができると同時に到着までの予定時間が分かるのでエレベータを待つ時間の短縮やイライラを解消することができ、利用者の利便性の向上を図ることができるものである。【選択図】図２
2006056625.tif 000002
【特許請求の範囲】
【請求項１】
利用者がエレベータを利用するときに遠隔から操作するコール装置と、前記コール装置からの操作信号を受け取るエレベータ本体の手動操作部にある本体操作装置と、エレベータ全体を制御・管理する制御管理装置とを備え、コール装置と本体操作装置は無線通信によって送受信するようにしたエレベータコールシステム。
【請求項２】
コール装置は、利用者がエレベータを呼ぶための信号を送信する送信手段と、エレベータからの到着予定時間データを受信する受信手段と、エレベータの前記到着予定時間をカウントダウンして到着予定残時間を計時するタイマー手段と、前記到着予定残時間を表示する表示手段と、コール装置番号を本体操作装置に初期登録する初期設定手段とを備えた請求項１に記載のエレベータコールシステム。
【請求項３】
本体操作装置は、コール装置からの操作信号を受信する受信手段と、該当のコール装置に到着予定時間データを送信する送信手段と、受信した操作信号により制御管理装置にエレベータの制御を指令する受信処理手段と、エレベータの到着予定時間を制御管理装置から受け取ってコール装置に送信する送信処理手段と、コール装置から送られてきたコール装置番号を登録する管理手段とを備えた請求項１に記載のエレベータコールシステム。
【請求項４】
制御管理装置は、本体操作装置から制御指令を受け取る指令受取手段と、制御指令に基づいてエレベータを制御する制御手段と、エレベータが要求階に到着するまでの時間を計算する到着時間算出手段と、到着予定時間を算出するために必要な最新のエレベータの位置情報を管理する位置管理手段と、算出した到着予定時間を本体操作装置に伝える送信処理手段とを備えた請求項１に記載のエレベータコールシステム。
【請求項５】
請求項１から４のいずれか1項記載のエレベータコールシステムにおける機能の少なくともコンピュータに実現させるプログラム。
【発明の詳細な説明】
【技術分野】
【０００１】
本発明は無線通信技術を活用し、マンションやホテルなどのエレベータを利用するときに、各部屋や共同玄関などに設置された操作ボタンなどからあらかじめエレベータを呼ぶことができ、エレベータを待つ時間の短縮やイライラを解消することができるエレベータコールシステムおよびプログラムに関するものである。
【背景技術】
【０００２】
従来、マンションやホテルなどでエレベータを利用しようとするとき、エレベータが到着するのに長く待たされる経験は誰にもあることで、たとえばそれが階数の多い高層の建物となればなおさらでイライラするものである。このためのシステムとして、例えば、特許文献１に開示されている「エレベータ遠隔呼出システム」などが提案されている。
【０００３】
これは、利用者からインターネットを介したメールによるエレベータ呼び出しを受け付ける手段と、呼び出したエレベータが指定階に到着したことを呼び出した利用者にメールで通知する手段を含むメール受送信処理装置を備えたもので、エレベータを遠隔地から呼び出したい場合に、携帯端末やパソコンからメールを送信することによってエレベータの呼び出し指令や予約を登録し、指定階にエレベータを呼び出すことができるものである。
【特許文献１】特開２００３−３１２９４９号公報
【発明の開示】
【発明が解決しようとする課題】
【０００４】
しかしながら、前記従来の構成では、エレベータを呼ぶために携帯端末やパソコンなどからインターネットでメールを送信しなければならず、概ね外出時のあわただしいときに画面を立ち上げる、サイトにアクセスするなどの幾つかの操作手順を踏まなければならないという課題を有している。
【０００５】
本発明は、前記従来の課題を解決するもので、利用者がエレベータを利用するときに、時前に自室等に設置してあるコール装置の操作ボタンを押すだけで遠隔からエレベータを呼ぶことができ、さらにエレベータの到着するまでの時間が通知されるのでそれに合わせた合理的な行動ができるため、時間の無駄やエレベータの前で待つイライラを解消することができるエレベータコールシステムおよびプログラムを提供することを目的とする。
【課題を解決するための手段】
【０００６】
前記従来の課題を解決するために、本発明のエレベータコールシステムおよびプログラムは、利用者がエレベータを利用するときに自室などの遠隔から操作するコール装置と、コール装置からの操作信号を受け取るエレベータ本体の手動操作部にある本体操作装置と、エレベータ全体を制御・管理する制御管理装置とを備え、コール装置と本体操作装置は無線通信によって送受信するようにしたものである。
【０００７】
これにより、コール装置による遠隔からの操作で事前にエレベータを呼ぶことができると同時に到着までの予定時間が分かるのでエレベータを待つ時間の短縮やイライラを解消することができ、利用者の利便性の向上を図ることができるものである。
【発明の効果】
【０００８】
本発明のエレベータコールシステムおよびプログラムによれば、コール装置による遠隔からの操作で事前にエレベータを呼ぶことができると同時に到着までの予定時間が分かるのでエレベータを待つ時間の短縮やイライラを解消することができ、利用者の利便性の向上を図ることができるものである。
【発明を実施するための最良の形態】
【０００９】
第１の発明は、利用者がエレベータを利用するときに自室などの遠隔から操作するコール装置と、コール装置からの操作信号を受け取るエレベータ本体の手動操作部にある本体操作装置と、エレベータ全体を制御・管理する制御管理装置とを備え、前記コール装置と本体操作装置は無線通信によってデータを送受信するようにしたエレベータコールシステムとしたことにより、コール装置による遠隔からの操作で事前にエレベータを呼ぶことができると同時に、到着までの予定時間が分かることから利用者の利便性の向上とエレベータを待つ時間の短縮やイライラの解消を図ることができるものである。
【００１０】
第２の発明は、特に、第１の発明において、コール装置は、利用者が外出するときにエレベータを呼ぶための信号を送信する送信手段と、エレベータからの到着予定時間データを受信する受信手段と、エレベータの到着予定時間をカウントダウンして到着予定残時間を計時するタイマー手段と、到着予定残時間を表示する表示手段と、コール装置番号を登録する初期設定手段とを備えたことにより、利用者はエレベータを利用したいときに送信手段によって遠隔から呼ぶと、エレベータの到着予定時間を受信手段で受信する。同時にタイマー手段で到着予定時間のカウントダウンを開始し、到着予定残時間が表示手段に表示されるので、利用者はエレベータが到着するまでの時間を知ることができ、時間を合理的に使うことができる。
【００１１】
第３の発明は、特に、第１の発明において、本体操作装置は、コール装置からの操作信号を受信する受信手段と、該当のコール装置に到着予定時間データを送信する送信手段と、受信した操作信号により制御管理装置にエレベータの制御を指令する受信処理手段と、エレベータの到着予定時間を制御管理装置から受け取ってコール装置に送信する送信処理手段と、コール装置番号を登録する初期設定手段とを備えたことにより、コール装置による遠隔からの操作で通常のエレベータ本体での操作と同様に制御できるので利用者の利便性の向上を図ることができる。
【００１２】
第４の発明は、特に、第１の発明において、制御管理装置は、本体操作装置から制御指令を受け取る指令受取手段と、制御指令に基づいてエレベータを制御する制御手段と、エレベータが要求階に到着するまでの時間を計算する到着時間算出手段と、到着予定時間を算出するために必要な最新のエレベータの位置情報を管理する位置管理手段と、算出した到着予定時間を本体操作装置に伝える送信処理手段とを備えたことにより、エレベータを呼び出してから要求階に到着するまで時間が通知されるので利用者にとってはその時間に合わせた合理的な行動をとることができる。
【００１３】
第５の発明は、特に、第１〜第４の発明のいずれか１つの発明におけるエレベータコールシステムの少なくとも一部をコンピュータに実現させるプログラムとしたことにより、プログラムであるので汎用コンピュータを用いて本発明のエレベータコールシステムの一部あるいは全てを容易に実現することができる。プログラムとすることにより、電気・情報機器・コンピュータ、サーバーなどのハードリソースを協働させてエレベータコールシステムの機能の少なくとも一部を容易に実現することができる。また、記録媒体に記録したり通信回線を用いてプログラムを配信したりすることでプログラムの配布・更新やそのインストール作業が簡単にできる。
【００１４】
以下、本発明の実施の形態について、図面を参照しながら説明する。なお、この実施の形態によって本発明が限定されるものではない。
【００１５】
（実施の形態１）
図１〜図６は、本発明の第1の実施の形態におけるエレベータコールシステムを示すものである。
【００１６】
図１は、利用者の操作イメージを表すもので、コール装置１の形態としては外出時の使い勝手を考えると、玄関近くの壁などに設置するタイプや持ち歩ける利便性からキーホルダータイプも考えられる。
【００１７】
図２に示すように、本発明の第1の実施の形態におけるエレベータコールシステムは、利用者がエレベータを利用するときに自室などの遠隔から操作するコール装置１と、本体操作装置２と、制御管理装置３からなり、コール装置１と本体操作装置２はそれぞれ無線モジュールを内蔵し、無線によるデータの送受信を行う。この場合、必要な通信距離や通信スピード、障害物などを考慮すると、小電力無線などの利用が適切と考える。また、本体操作装置２は電波の受信環境や制御処理する上で通常のエレベータ本体の操作部に内蔵される設計が望ましい。
【００１８】
図３は、コール装置１を示すもので、利用者がエレベータを呼ぶために信号を送信する送信手段１１と、エレベータの本体操作装置２から送信されるエレベータの到着予定時間データを受け取る受信手段１２と、受け取った到着予定時間をカウントダウンするタイマー手段１３と到着予定残時間を表示する表示手段１４と、コール装置番号を本体操作装置２に登録する初期設定手段１５とを備えたものである。
【００１９】
図４は、本体操作装置２を示すもので、コール装置１からのコール信号を受信する受信手段２１と、コール装置１にエレベータの到着予定時間を送信する送信手段２２と、受信したコール信号にコール装置呼出符号を付与して制御管理装置３に制御を指令する受信処理手段２３と、エレベータの到着予定時間をコール装置１に送信する送信処理手段２４と、コール装置番号を管理する管理手段２５とを備えたものである。
【００２０】
図５は、制御管理装置３を示すもので、本体操作装置２からの制御指令を受け取る指令受取手段３１と、エレベータを制御する制御手段３２と、受け取った制御指令にコール装置呼出符号のある場合に要求階までの到着予定時間を計算する算出手段３３と、到着予定時間を計算するために必要なエレベータの現在位置を管理する位置管理手段３４と、算出された到着予定時間を本体操作装置２に伝える時間送出手段３５とを備えたものである。
【００２１】
次に、図６に基づき、本実施の形態におけるエレベータコールシステムの動作・作用について説明する。
【００２２】
まず、外出しようとする利用者がエレベータを事前に呼ぶために、自室の壁などに設置してあるコール装置１の「コールボタン」を押す操作などによる送信手段１１で、本体操作装置２に自己の装置管理番号を送信する（Ｓ１）。
【００２３】
次に、その信号を本体操作装置２の受信手段２１で受信し（Ｓ２）、管理手段２４により受け取った装置番号に優先番号を付与して管理し（Ｓ３）、同時に、受信処理手段２３によりコール装置からの呼び出しであることを示すためにコード装置呼出符号を付与し（Ｓ４）、制御管理装置３に対して制御指令情報を送る（Ｓ５）。
【００２４】
制御指令情報は制御管理装置３の指令受取手段３１で受け取り（Ｓ６）、制御指令情報の中でコール装置１からの呼び出しであることを示すコール装置呼出符号の付与された制御指令を抽出する（Ｓ７）。制御手段３２で制御を開始し（Ｓ８）、同時にコール装置呼出符号の付与された制御指令情報と要求階までのエレベータの到着予定時間（または到着予定残時間）を制御位置管理手段３４が管理している最新のエレベータの位置情報を基に算出手段３３で計算する（Ｓ９）。算出された到着予定時間データは時間送出手段３５で本体操作装置２に伝えられる（Ｓ１０）。
【００２５】
次に、制御管理装置３から伝えられたエレベータの要求階到着までの予定時間データは本体操作手段２の送信処理手段２４で受け取り、管理手段２５で管理されている一番若い優先番号の付いた該当のコール装置番号を抽出して（Ｓ１１）、送信手段２２によって送信される（Ｓ１２）。
【００２６】
次に、到着予定時間データはコール装置１の受信手段１２によって受け取り（Ｓ１３）、タイマー手段１３により1秒単位のカウントダウンを行いながら、表示手段１４によって表示される（Ｓ１４）。
【００２７】
通常、コール装置１は各部屋ごとに使用されるので、制御管理装置２との無線通信時に他のコール装置１からの信号と区別する必要があり、初期設定時に初期設定手段１５によりコール装置１の個人名にあたる装置番号を本体操作装置２に送信し、管理手段２５に登録し、管理する。
【００２８】
また、エレベータ本体からの操作は通常のエレベータと同様であり、コール装置１からの信号が本体操作装置２に受信されたタイミングとエレベータ本体の操作ボタンが押されたタイミングの早い方が優先される。
【００２９】
なお、本実施の形態のエレベータコールシステムにおける機能の少なくとも一部をコンピュータに実行させるためのプログラムとすることができる。すなわち、実施の形態で説明した手段は、ＣＰＵ（またはマイコン）、ＲＡＭ、ＲＯＭ、記憶・記録装置Ｉ／Ｏなどを備えた電気・情報機器、コンピュータ、サーバーなどのハードリソースを協働させるプログラムの形態で実施してもよい。プログラムの形態であれば、磁気メディアや光メディアなどの記録媒体に記録したり、インターネットなどの通信回線を用いて配信したりすることで新しい機能の配布・更新やそのインストール作業が簡単にできる。
【産業上の利用可能性】
【００３０】
以上のように、本発明にかかるエレベータコールシステムは、利用者の利便性を高めることができるのでエレベータの設備されている施設はほとんどがその対象となると考える。中でもリゾートホテルなどでは建物内のレストランや大浴場、レジャー施設などを利用する機会が多く、コール装置を携帯タイプにすることにより階を移動する客の利便性が高まり、サービス向上に役立つだろうし、縦方向の移動の多いオフィスビルなどでは移動時間の合理化につながる。
【図面の簡単な説明】
【００３１】
【図１】本発明の実施の形態１における操作イメージ図
【図２】同エレベータコールシステムの全体構成図
【図３】同エレベータコールシステムにおけるコール装置のブロック図
【図４】同エレベータコールシステムにおける本体操作装置のブロック図
【図５】同エレベータコールシステムにおける制御管理装置のブロック図
【図６】同エレベータコールシステムの動作を示すフローチャート
【符号の説明】
【００３２】
１  コール装置
２  本体操作装置
３  制御管理装置
１１、２１  送信手段
１２、２２  受信手段
１３  タイマー手段
１４  表示手段
１５  初期設定手段
２３  受信処理手段
２４  送信処理手段
２５  管理手段
３１  指令受取手段
３２  制御手段
３３  算出手段（到達時間算出手段）
３４  位置管理手段
３５  時間送出手段
【図２】
2006056625.tif 000003
【図３】
2006056625.tif 000004
【図４】
2006056625.tif 000005
【図５】
2006056625.tif 000006
【図６】
2006056625.tif 000007
【図１】
2006056625.tif 000008